【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
無線リンク制御階層を有する無線通信システムの送信装置であって、
上位階層からアクセスポイントを介して受けたサービスデータ単位（ＳＤＵ）をセグメント化および／または連続化させて少なくとも１つのプロトコルデータ単位（ＰＤＵ）を形成する、セグメンテーションおよび／または連続化モジュールと、
少なくとも１つのヘッダを該セグメント化および／または連続化されたＳＤＵに付加して少なくとも１つのＰＤＵを形成する、ヘッダ付加モジュールと、
該ヘッダが付加された該少なくとも１つのＰＤＵを格納するデータ格納モジュールと、
該少なくとも１つのＰＤＵの少なくとも該セグメント化および／または連続化されたＳＤＵを暗号化して、その後、結果を、複数の伝送チャネルのうちの少なくとも１つを介して下位階層に伝送する、暗号化モジュールと
を備える、送信装置。
【請求項２】
前記アクセスポイントはＵＭ−ＳＡＰであり、前記複数のチャネルのうちの少なくとも１つはＤＴＣＨ、ＤＣＣＨ、ＣＣＣＨ、ＳＨＣＣＨおよびＣＴＣＨのうち少なくとも１つであり、前記結果は前記送信装置から少なくとも１つの下位階層を介して、受信側に当たる前記無線通信システムのＲＬＣエンティティに伝送される、請求項１に記載の送信装置。
【請求項３】
前記複数のチャネルのうちの少なくとも１つは論理チャネルである、請求項１に記載の送信装置。
【請求項４】
前記少なくとも１つのヘッダは前記少なくとも１つのＰＤＵの順序番号を示すシーケンスナンバー（ＳＮ）を含む、請求項１に記載の送信装置。
【請求項５】
再伝送を制御するデータ再伝送制御モジュールであって、前記ヘッダ付加モジュールによって前記少なくとも１つのヘッダが付加された前期少なくとも１つのＰＤＵが再伝送のために格納されている、データ再伝送制御モジュールをさらに備える、請求項１に記載の送信装置。
【請求項６】
前記ヘッダ付加モジュールからの第１の出力信号または前記データ再送信制御モジュールから前記データ格納モジュールへの第２の出力信号のいずれかを提供するマルチプレクサーをさらに備える、請求項５に記載の送信装置。
【請求項７】
前記少なくとも１つのヘッダの少なくとも１つのフィールドを、前記データ格納モジュールから受けた前記少なくとも１つのＰＤＵにおいてセッティングし、該少なくとも１つのＰＤＵを前記暗号化モジュールに伝送する、請求項５に記載の送信装置。
【請求項８】
前記アクセスポイントはＡＭ−ＳＡＰであり、前記少なくとも１つの暗号化されたＰＤＵは受信側に当たる前記通信システムの無線リンク制御エンティティに伝送され、前記少なくとも１つのチャネル、ＤＴＣＨおよびＤＣＣＨのうちの少なくとも１つである、請求項５に記載の送信装置。
【請求項９】
前記暗号化モジュールは、前記暗号化を行う前に前記少なくとも１つのＰＤＵの前記少なくとも１つのヘッダ内のＤ／Ｃフィールドをチェックし、
該暗号化モジュールは、制御ＰＤＵを暗号化しないが、ピギーバック状態を含むデータＰＤＵは該Ｄ／Ｃフィールドの値に従って暗号化される、請求項５に記載の送信装置。
【請求項１０】
前記暗号化モジュールは前記少なくとも１つのＰＤＵをチェックし、その後、前記少なくとも１つのＰＤＵにパッディングが存在する場合、該少なくとも１つのＰＤＵ内のパッディングを少なくとも１つのピギーバック状態ＰＤＵに置換する、請求項５に記載の送信装置。
【請求項１１】
無線リンク制御（ＲＬＣ）階層を有する無線通信システムの受信装置であって、
該受信装置の下位階層から複数のチャネルのうちの少なくとも１つを介して受けたＲＬＣ階層の暗号化されたプロトコルデータ単位（ＰＤＵ）を復号化する復号化モジュールと、
該復号化されたＰＤＵを格納するデータ格納モジュールと、
該復号化されたＰＤＵからヘッダを除去するヘッダ除去モジュールと、
該ヘッダ除去モジュールから出力された該復号化されたＰＤＵをサービスデータ単位（ＳＤＵ）に再構成し、アクセスポイントを介して上位階層に該ＳＤＵを伝送する、再構成モジュールと
を備える、受信装置。
【請求項１２】
前記複数のチャネルのうちの少なくとも１つは、ＤＴＣＨ、ＤＣＣＨ、ＣＣＣＨ、ＳＨＣＣＨのうちの少なくとも１つであり、前記暗号化されたＰＤＵは伝送側から受けられ、前記アクセスポイントはＵＭ−ＳＡＰである、請求項１１に記載の受信装置。
【請求項１３】
前記ヘッダは前記ＰＤＵの順序番号を示すシーケンスナンバー（ＳＮ）を含む、請求項１１に記載の受信装置。
【請求項１４】
暗号化されたＰＤＵの前記データ受信装置への再伝送を制御するデータ再伝送モジュールをさらに備える、請求項１１に記載の受信装置。
【請求項１５】
前記複数のチャネルのうちの少なくとも１つは、ＤＣＣＨおよびＤＴＣＨのうちの少なくとも１つであり、前記アクセスポイントはＡＭ−ＳＡＰである、請求項１４に記載の受信装置。
【請求項１６】
前記復号化モジュールは復号化ブロックと、前記下位階層から受けた制御ＰＤＵをＲＬＣ制御モジュールに伝送し、データＰＤＵを該復号化ブロックに伝送するデマルチプレックス／ルーティングブロックを含む、請求項１５に記載の受信装置。
【請求項１７】
前記デマルチプレックス／ルーティングブロックは前記ＰＤＵ内のＤ／Ｃフィールドをチェックして、該ＰＤＵが制御ＰＤＵであるか、またはデータＰＤＵであるかを判別する、請求項１６に記載の受信装置。
【請求項１８】
前記ヘッダ除去モジュールは、前記データＰＤＵからピギーバック情報を抽出する、請求項１７に記載の受信装置。
【請求項１９】
無線リンク制御階層（ＲＬＣ）層を有する無線通信システムの送信装置であって、
上位階層からアクセスポイントを介して受けたサービスデータ単位（ＳＤＵ）を格納するデータ格納モジュールと、
該格納されたＳＤＵをセグメント化および／または連続化させて、少なくとも１つのプロトコルデータ単位（ＰＤＵ）を形成するセグメンテーションおよび／または連続化モジュールと、
少なくとも１つのヘッダを該少なくとも１つのＰＤＵに付加する、ヘッダ付加モジュールと、
該ヘッダ付加モジュールから出力される該少なくとも１つのＰＤＵの少なくとも該セグメント化および／または連続化されたＳＤＵを暗号化して、その後、結果を、複数の伝送チャネルのうちの少なくとも１つを介して下位階層に伝送する、暗号化モジュールと
を備える、送信装置。
【請求項２０】
前記アクセスポイントはＵＭ−ＳＡＰであり、前記結果は、受信側に当たる前記無線通信システムの無線リンク制御エンティティに伝送され、前記複数のチャネルのうちの少なくとも１つはＤＴＣＨ、ＤＣＣＨ、ＣＣＣＨ、ＳＨＣＣＨ、およびＣＴＣＨのうちの少なくとも１つである、請求項１９に記載の送信装置。
【請求項２１】
前記少なくとも１つのヘッダは、前記少なくとも１つのＰＤＵのシーケンスナンバーを含む、請求項１９に記載の送信装置。
【請求項２２】
無線リンク制御（ＲＬＣ）階層を有する無線通信システムにおいてデータを伝送する方法であって、
上位階層からアクセスポイントを介して受けたサービスデータ単位（ＳＤＵ）をセグメント化および／または連続化させて、少なくとも１つのプロトコルデータ単位（ＰＤＵ）を形成するステップと、
少なくとも１つのヘッダを該セグメント化および／または連続化されたＳＤＵに付加して、少なくとも１つのＰＤＵを形成するステップと、
該ヘッダが付加された該少なくとも１つのＰＤＵをデータ格納モジュールに格納するステップと、
該少なくとも１つのＰＤＵの少なくとも該セグメント化および／または連続化されたＳＤＵを暗号化するステップと、
結果を、複数の伝送チャネルのうちの少なくとも１つを介して下位階層に伝送するステップと
を包含する、方法。
【請求項２３】
前記アクセスポイントはＵＭ−ＳＡＰであり、前記結果は、受信側に当たる前記無線通信システムの無線リンク制御エンティティに伝送され、前記複数のチャネルのうちの少なくとも１つはＤＴＣＨ、ＤＣＣＨ、ＣＣＣＨ、ＳＨＣＣＨ、およびＣＴＣＨのうちの少なくとも１つである、請求項２２に記載の方法。
【請求項２４】
前記少なくとも１つのヘッダが付加された前記少なくとも１つのＰＤＵを再伝送ＰＤＵとして格納するステップと、前記少なくとも１つの格納されたＰＤＵの再伝送を管理するステップとをさらに包含する、請求項２２に記載の方法。
【請求項２５】
前記ヘッダが付加されたＰＤＵおよび再伝送のために格納されているＰＤＵをマルチプレキシングするステップと、結合されたＰＤＵを前記データ格納モジュールに伝送するステップとをさらに包含する、請求項２４に記載の方法。
【請求項２６】
前記暗号化ステップを行う前に、前記少なくとも１つのヘッダの少なくとも１つのフィールドを前記少なくとも１つのＰＤＵにおいてセッティングするステップをさらに包含する、請求項２４に記載の方法。
【請求項２７】
無線リンク制御（ＲＬＣ）階層を有する無線通信システムにおいてデータを受信する方法であって、
下位階層から複数のチャネルのうちの少なくとも１つを介して受けた該ＲＬＣ階層の暗号化されたプロトコルデータ単位（ＰＤＵ）を復号化するステップと、
該復号化されたＰＤＵをデータ格納バッファにＰＤＵとして格納するステップと、
該ＰＤＵからヘッダを除去するステップと、
該ヘッダが除去された該ＰＤＵをサービスデータ単位（ＳＤＵ）に再構成するステップと、
アクセスポイントを介して上位階層に該再構成されたＳＤＵを伝送するステップと
を包含する、方法。
【請求項２８】
前記複数のチャネルのうちの少なくとも１つは、ＤＴＣＨ、ＤＣＣＨ、ＣＣＣＨ、ＳＨＣＣＨ、およびＣＴＣＨのうちの少なくとも１つであり、前記暗号化されたＰＤＵは伝送側から送信され、前記アクセスポイントはＵＭ−ＳＡＰである、請求項２７に記載の方法。
【請求項２９】
前記除去されたヘッダを判読するステップをさらに包含する、請求項２７に記載の方法。
【請求項３０】
前記暗号化されたＰＤＵを復号化するステップは、前記伝送側からＲＬＣ制御モジュールに伝送された前記暗号化されたＰＤＵの制御ＰＤＵを伝送するステップと、データＰＤＵのみを復号化するステップとを含む、請求項２９に記載の方法。
【請求項３１】
前記複数のチャネルのうちの少なくとも１つは、ＤＣＣＨおよびＤＴＣＨのうちの少なくとも１つであり、前記アクセスポイントはＡＭ−ＳＡＰである、請求項２７に記載の方法。
【請求項３２】
下位階層から複数のチャネルの少なくとも１つを介して受けた、暗号化されたプロトコルデータ単位（ＰＤＵ）を復号化する手段と、
該復号化されたＰＤＵをバッファリングする手段と、
該復号化されたＰＤＵを、アクセスポイントを介して上位階層に伝送されるサービスデータ単位（ＳＤＵ）に変換する手段と
を備える、通信システムの装置。
【請求項３３】
前記ＰＤＵからＳＤＵへの変換手段は、
バッファリングされたＰＤＵからヘッダを除去する手段と、
該ヘッダが除去されたＰＤＵを少なくとも１つのＳＤＵに再構成する手段と
を備える、請求項３２に記載の装置。
【請求項３４】
前記上位階層から前記アクセスポイントを介して受けたＳＤＵをバッファリングする手段と、
ＳＤＵをＰＤＵに変換する手段と、
前記複数のチャネルのうちの少なくとも１つを介して下位階層に伝送するためにＰＤＵを暗号化する手段と
をさらに備える、請求項３２に記載の装置。
【請求項３５】
前記ＳＤＵからＰＤＵに変換する手段は、
ＳＤＵをセグメント化および／または連続化させて、少なくとも１つのＰＤＵを形成する手段と、
ヘッダを該セグメント化および／または連続化されたＳＤＵに付加して、前記少なくとも１つのＰＤＵを形成する手段と
請求項３４に記載の装置。
【請求項３６】
前記アクセスポイントはＵＭ−ＳＡＭであり、前記複数のチャネルのうちの少なくとも１つは、ＤＴＣＨ、ＤＣＣＨ、ＣＣＣＨ、ＳＨＣＣＨ、およびＣＴＣＨのうちの少なくとも１つである、請求項３２〜３５に記載の装置。
【請求項３７】
前記バッファリング手段は、前記ＰＤＵの伝送を管理する手段をさらに含む、請求項３２に記載の装置。
【請求項３８】
前記ＰＤＵからＳＤＵに変換する手段は、
前記ＰＤＵからヘッダを除去しかつ／またはピギーバック情報を抽出する手段と、
該除去手段から受けた該ＰＤＵをＳＤＵに再構成する手段と
を備える、請求項３７に記載の装置。
【請求項３９】
前記上位層から前記アクセスポイントを介するＳＤＵをＰＤＵに変換する手段と、
該ＳＤＵからＰＤＵに変換する手段から伝送される該ＰＤＵをバッファリングするバッファと、
前記複数のチャネルのうちの少なくとも１つを介して下位階層に伝送するためにＰＤＵを暗号化する手段と
をさらに備える、請求項３８に記載の装置。
【請求項４０】
前記ＳＤＵからＰＤＵに変換する手段は、
ＳＤＵをセグメント化および／または連続化させて少なくとも１つのＰＤＵを形成する手段と、
該セグメント化および／または連続化されたＳＤＵにヘッダを付加して少なくとも１つのＰＤＵを形成する手段と、
該少なくとも１つのＰＤＵの再伝送を管理する手段と、
前記バッファへの出力のために該ヘッダ手段および管理手段の出力をマルチプレキシングする手段と、
を備える、請求項３９に記載の装置。
【請求項４１】
前記暗号化手段は、
フィールドを前記少なくとも１つのＰＤＵの前記少なくとも１つのヘッダにおいてセッティングし、かつ／またはピギーバック情報を該少なくとも１つのＰＤＵにセッティングする、フィールドセッティングブロックと、
該少なくとも１つのＰＤＵの前記セグメント化および／または連続化させたＳＤＵを、該ヘッダにおいてセッティングされたフィールドに基づいて暗号化する、暗号化ブロックと
を備える、請求項４０に記載の装置。
【請求項４２】
前記暗号化手段を制御する手段と、
ステータスＰＤＵを前記ＳＤＵからＰＤＵに変換する手段の管理手段に、または、データＰＤＵを前記復号化手段にデマルチプレックス／ルーティングする手段と
をさらに備える、請求項４１に記載の装置。
【請求項４３】
前記暗号化ブロックは前記データＰＤＵのセグメント化および／または連続化されたＳＤＵのみを暗号化する、請求項４１に記載の装置。
【請求項４４】
前記デマルチプレックス／ルーティング手段は制御ＰＤＵを前記制御手段に送信し、
ヘッダ除去手段はＡＣＫ  ＰＤＵを該制御手段に、ピギーバック情報を前記管理手段に送信する、請求項４２に記載の装置。
【請求項４５】
前記アクセスポイントはＡＭ−ＳＡＰであり、前記複数のチャネルのうちの少なくとも１つはＤＣＣＨおよびＤＴＣＨのうちの少なくとも１つである、請求項３７〜４４に記載の装置。
【請求項４６】
前記上位階層はＲＲＣであり、前記下位階層はＭＡＣである、請求項３４または３９に記載の装置。